(57)【要約】【課題】ステージ上でプレパラートを左右上下にしか動かす事が出来ないクレンメルのある光学顕微鏡に、ステージ上でプレパラートを自由に回転させる回転機能を与え、光学顕微鏡にプレパラートの回転機能と左右上下運動機能を併せ持たせる装置を提供する。【解決手段】ガラスやプラスチックなどの材質で透明な回転固定板１及び回転器２を作り、回転固定板１の穴の部分にプレパラートを載せる溝６を上にして回転器２を取り付け、回転器２にプレパラート３を載せてこのプレパラート回転器をクレンメルで固定し、プレパラートの標本４をステージ上で観察する事を特徴とする。【選択図】図１
2005122080.tif 000002
【特許請求の範囲】
【請求項１】
（イ）ガラスやプラスチックなどの材質で透明な回転固定板１及び円柱にプレパラートを載せる溝６を彫った回転器２を作る。
（ロ）回転固定板の円柱状の穴５にプレパラートを載せる溝６を上にして回転器２を取り付ける。
以上のごとく構成されたプレパラート回転器。
【発明の詳細な説明】
【発明の詳細な説明】
【技術分野】
【０００１】    この発明は、ガラスやプラスチックなどの材質で作った透明な回転固定板の穴５に、同じくガラスやプラスチックなどの材質で作った透明な回転器２を取り付けたプレパラート回転器に関するものである。
【背景技術】
【０００２】    従来、クレンメルのある光学顕微鏡のステージの上でプレパラートを左右上下に動かしたり、ステージ上でプレパラートを１８０度回転しクレンメルで再び固定する事が出来た。また、クレンメルのある顕微鏡のステージを回転させプレパラートを自由に回転させることが出来た。しかし、プレパラートをステージ上で自由に回転させる回転機能とプレパラートの左右上下運動機能を併せ持つ光学顕微鏡は存在しなかった。
【発明が解決しようとする課題】
【０００３】    この発明はステージ上でプレパラートを左右上下にしか動かす事が出来ないクレンメルのある光学顕微鏡に、ステージ上でプレパラートを自由に回転させる回転機能を与え、光学顕微鏡にプレパラートの回転機能と左右上下運動機能を併せ持たせようとするものである。
【課題を解決するための手段】
【０００４】  本発明はこの要望に応えるためにされたもので、いまこれを図面について説明すれば
（イ）ガラスやプラスチックなどの材質で透明な回転固定板１及び回転器２を作る。
（ロ）回転固定板の穴５にプレパラートを載せる溝６を上にして回転器２を取り付ける。
このプレパラート回転器にプレパラート３を載せて、このプレパラート回転器をクレンメルで固定し、プレパラートの標本４をステージ上で観察する。
【発明を実施するための最良の形態】
【０００５】  以上の構成であるから、プレパラートを回転固定板の穴５の中心を中心としてステージ上で回転させるので、ステージ上でプレパラートを左右上下にしか動かす事が出来ないクレンメルのある光学顕微鏡に、ステージ上でプレパラートを自由に回転させる回転機能を与え、光学顕微鏡にプレパラートの回転機能と左右上下運動機能を併せ持たせる事が出来る。
【発明の効果】
【０００６】  本発明は以上のような構造で、これを使用するときは、プレパラートを回転固定板の穴５の中心を中心としてステージ上で回転させるので、ステージ上でプレパラートを左右上下にしか動かす事が出来ないクレンメルのある光学顕微鏡に、ステージ上でプレパラートを自由に回転させる回転機能を与え、光学顕微鏡にプレパラートの回転機能と左右上下運動機能を併せ持たせる事が出来る。
【０００７】また、ステージ上でプレパラートを左右上下にしか動かす事が出来ないクレンメルのある光学顕微鏡において、腸管の横切りの標本でその上皮を観察する時でも、見たい上皮のどの部分でもａｐｉｃａｌ側を観察者から見て上にして観察出来たりするので、標本によっては非常に観察しやすくなり、便利である。
【図面の簡単な説明】
【図１】本発明の斜視図である。
【図２】プレパラートを取り付けた本発明の斜視図である。
【図３】本発明の回転固定板の斜視図である。
【図４】図３におけるＡ−Ａ縦断面図である。
【図５】本発明の回転器の斜視図である。
【図６】図５におけるＡ−Ａ縦断面図である。
【符号の説明】
１  回転固定板
２  回転器
３  プレパラート
４  プレパラートの標本
５  回転固定板の穴
６  プレパラートを載せる溝
【図１】
2005122080.tif 000003
【図２】
2005122080.tif 000004
【図３】
2005122080.tif 000005
【図４】
2005122080.tif 000006
【図５】
2005122080.tif 000007
【図６】
2005122080.tif 000008
【手続補正書】
【提出日】平成16年4月30日(2004.4.30)
【手続補正１】
【補正対象書類名】明細書
【補正対象項目名】０００２
【補正方法】変更
【補正の内容】
【０００２】
【従来の技術】
従来クレンメルのある光学顕微鏡のステージ上でプレパラートを左右上下に動かしたり、ステージ上でプレパラートを１８０°回転しクレンメルで再び固定する事が出来た。また、クレンメルのある顕微鏡のステージを回転させプレパラートを回転し、そのプレパラートの標本上の一点だけをステージの回転中心の上で回転させる事が出来た。しかし、ステージ上でプレパラートの標本上の一点だけでなく、標本上にあるもっと多くの点を中心に回転させる事が出来る回転機能とプレパラートの左右上下運動機能を併せ持つ光学顕微鏡は存在しなかった。
【手続補正２】
【補正対象書類名】明細書
【補正対象項目名】０００３
【補正方法】変更
【補正の内容】
【０００３】
【発明が解決しようとする課題】
この発明はステージ上でプレパラートを左右上下にしか動かす事が出来ないクレンメルのある光学顕微鏡に、ステージ上でプレパラートの標本上の一点だけでなく、標本上にあるもっと多くの点を中心に回転させる事が出来る回転機能を与え、プレパラートの標本上の一点だけでなく、標本上にあるもっと多くの点を中心に回転させる事が出来る回転機能と左右上下運動機能を併せ持たせようとするものである。
【手続補正３】
【補正対象書類名】明細書
【補正対象項目名】０００５
【補正方法】変更
【補正の内容】
【０００５】
【発明の実施の形態】
以上のような構成であるから、クレンメルのある光学顕微鏡において、回転固定板１をクレンメルで固定し、プレパラート３をプレパラートを載せる溝６に沿ってプレパラート回転器２上でスライドさせる事により、回転固定板の穴５の中心を通りステージと垂直な平面がプレパラートの表面と交わる時に形成される線分の内、プレパラート３のプレパラート回転器２上での移動軸と平行な線分を１とすると、１上にあるプレパラートの標本上のどの点でも、回転固定板の穴５の中心上で回転できる。よってステージ上でプレパラートを左右上下にしか動かす事が出来ないクレンメルのある光学顕微鏡に、ステージ上でプレパラートの標本上の一点だけでなく、標本上にあるもっと多くの点を中心に回転させる事が出来る回転機能を与え、プレパラートの標本上の一点だけでなく、標本上にあるもっと多くの点を中心に回転させる事が出来る回転機能と左右上下運動機能を併せ持たせる事が出来る。
【手続補正４】
【補正対象書類名】明細書
【補正対象項目名】０００６
【補正方法】変更
【補正の内容】
【０００６】
【発明の効果】
本発明は以上のような構造で、これを使用するときは、クレンメルのある光学顕微鏡において、回転固定板１をクレンメルで固定し、プレパラート３をプレパラートを載せる溝６に沿ってプレパラート回転器２上でスライドさせる事により、回転固定板の穴５の中心を通りステージと垂直な平面がプレパラートの表面と交わる時に形成される線分の内、プレパラート３のプレパラート回転器２上での移動軸と平行な線分を１とすると、１上にあるプレパラートの標本上のどの点でも、回転固定板の穴５の中心上で回転できる。よってステージ上でプレパラートを左右上下にしか動かす事が出来ないクレンメルのある光学顕微鏡に、ステージ上でプレパラートの標本上の一点だけでなく、標本上にあるもっと多くの点を中心に回転させる事が出来る回転機能を与え、プレパラートの標本上の一点だけでなく、標本上にあるもっと多くの点を中心に回転させる事が出来る回転機能と左右上下運動機能を併せ持たせる事が出来る。
【手続補正５】
【補正対象書類名】図面
【補正対象項目名】図１
【補正方法】変更
【補正の内容】
【図１】
2005122080.tif 000009
【手続補正６】
【補正対象書類名】図面
【補正対象項目名】図２
【補正方法】変更
【補正の内容】
【図２】
2005122080.tif 000010
【手続補正７】
【補正対象書類名】図面
【補正対象項目名】図３
【補正方法】変更
【補正の内容】
【図３】
2005122080.tif 000011
【手続補正書】
【提出日】平成16年5月6日(2004.5.6)
【手続補正１】
【補正対象書類名】図面
【補正対象項目名】図１
【補正方法】変更
【補正の内容】
【図１】
2005122080.tif 000012
【手続補正２】
【補正対象書類名】図面
【補正対象項目名】図２
【補正方法】変更
【補正の内容】
【図２】
2005122080.tif 000013
【手続補正３】
【補正対象書類名】図面
【補正対象項目名】図３
【補正方法】変更
【補正の内容】
【図３】
2005122080.tif 000014